(57)【要約】【課題】電子商取引において、複数の商品を組み合わせてセット化して買い手側の装置に提供する。【解決手段】本発明は、商品の組み合わせについて予め決められた対応表を参照して、出品依頼のあった商品が組み合わせ可能かを判断し、可能である場合には、セット化商品としてネットワークを介して買い手側の装置にセット化された商品の情報を提供する。【選択図】      図１
2004341815.tif 000002
【特許請求の範囲】
【請求項１】
ネットワーク上で電子商取引を行う電子商取引方法において、
電子商取引の対象となる複数の商品の組み合わせを示す対応表を記憶手段に予め記憶しておき、
前記電子商取引への出品依頼を前記ネットワーク上の売り手側の装置から該ネットワークを介して受信し、
前記出品依頼の商品が、前記対応表に含まれるかを判断し、
含まれる場合に、前記出品依頼した前記売り手側の装置に対して、前記対応表に含まれる商品の組み合わせで電子商取引の対象とするか否かの問い合わせを行い、
前記売り手側の装置から、前記出品依頼の商品を問い合わせを行った前記組み合わせによって電子商取引を行う回答を受信した場合には、該組み合わせの商品情報を前記ネットワークを介して送信することを特徴とする電子商取引方法。
【請求項２】
依頼者自身が複数の商品を組み合わせた、組み合わせの対象商品の出品依頼者のそれぞれの装置に対して、該装置間における該対象商品の価格調整のための仲介の通信を行う請求項１記載の電子商取引方法。
【請求項３】
組み合わせ後の前記対象商品の価格が、組み合わせ前の価格より安くなる範囲内で価格を更新する請求項２記載の電子商取引方法。
【請求項４】
個々の商品の組み合わせ、または、個々の商品のカテゴリの組み合わせを、前記出品依頼した装置に対して送信する請求項１乃至３記載の電子商取引方法。
【請求項５】
ネットワーク上で電子商取引を行う電子商取引装置であって、
電子商取引の対象となる複数の商品の組み合わせを示す対応表を記憶する記憶手段と、
ネットワーク上の複数の装置との間で該ネットワークを介して通信する通信手段と、
前記電子商取引への出品依頼を前記ネットワーク上の装置から前記通信手段を介して受信すると、該出品依頼の商品が、前記記憶手段の対応表に含まれるかを判断し、含まれる場合に、前記出品依頼した売り手側の装置に対して、前記対応表に含まれる商品の組み合わせで電子商取引の対象とするか否かの問い合わせを該通信手段を介して行い、該売り手側の装置から、前記出品依頼の商品を問い合わせを行った組み合わせにより電子商取引を行う回答を受信した場合には、該組み合わせの商品情報を該通信手段を介して送信する取引制御手段と、を有することを特徴とする電子商取引装置。
【請求項６】
前記取引制御手段は、
依頼者自身が複数の商品を組み合わせた、組み合わせの対象商品の出品依頼者のそれぞれの装置に対して、該装置間における該対象商品の価格調整のための仲介の通信を行う価格調整手段を含む請求項５記載の電子商取引装置。
【請求項７】
前記価格調整手段は、
組み合わせ後の前記対象商品の価格が、組み合わせ前の価格より安くなる範囲内で価格を更新する手段を含む請求項６記載の電子商取引装置。
【請求項８】
前記取引制御手段は、
個々の商品の組み合わせ、または、個々の商品のカテゴリの組み合わせを、前記出品依頼した装置に対して送信する手段を含む請求項５乃至７記載の電子商取引装置。
【請求項９】
ネットワーク上で電子商取引を実行させるための電子商取引プログラムであって、
電子商取引の対象となる複数の商品の組み合わせを示す対応表を記憶手段に予め記憶させる対応表格納ステップと、
前記電子商取引への出品依頼を前記ネットワーク上の装置から該ネットワークを介して受信する依頼受信ステップと、
前記出品依頼の商品が、前記対応表に含まれるかを判断する判断ステップと、
含まれる場合に、前記出品依頼した前記装置に対して、前記対応表に含まれる商品の組み合わせで電子商取引の対象とするか否かの問い合わせを行う問い合わせステップと、
前記出品依頼した装置から、前記出品依頼の商品を前記組み合わせで電子商取引を行う回答を受信した場合には、該組み合わせの商品情報を前記ネットワークを介して送信する商品情報提供ステップと、
からなり、コンピュータに実行させることを特徴とする電子商取引プログラム。
【請求項１０】
依頼者自身が複数の商品を組み合わせた、組み合わせの対象商品の出品依頼者のそれぞれの装置に対して、該装置間における該対象商品の価格調整のための仲介の通信を行う価格調整ステップを、更に有する請求項９記載の電子商取引プログラム。
【請求項１１】
前記価格調整ステップは、
組み合わせ後の前記対象商品の価格が、組み合わせ前の価格より安くなる範囲内で価格を更新するステップを含む請求項１０記載の電子商取引プログラム。
【請求項１２】
前記問い合わせステップは、
個々の商品の組み合わせ、または、個々の商品のカテゴリの組み合わせを、前記出品依頼した装置に対して送信する請求項９乃至１１記載の電子商取引プログラム。
【請求項１３】
ネットワーク上で電子商取引を実行させるための電子商取引プログラムを格納した記憶媒体であって、
電子商取引の対象となる複数の商品の組み合わせを示す対応表を記憶手段に予め記憶させる対応表格納ステップと、
前記電子商取引への出品依頼を前記ネットワーク上の装置から該ネットワークを介して受信する依頼受信ステップと、
前記出品依頼の商品が、前記対応表に含まれるかを判断する判断ステップと、
含まれる場合に、前記出品依頼した前記装置に対して、前記対応表に含まれる個々の商品の組み合わせ、または、個々の商品のカテゴリの組み合わせを含む情報を送信することにより、電子商取引の対象とするか否かの問い合わせを行う問い合わせステップと、
前記出品依頼した装置から、前記出品依頼の商品を前記組み合わせで電子商取引を行う回答を受信した場合には、該組み合わせの商品情報を前記ネットワークを介して送信する商品情報提供ステップと、
からなるプログラムを格納したことを特徴とする電子商取引プログラムを格納した記憶媒体。
【請求項１４】
依頼者自身が複数の商品を組み合わせた、組み合わせの対象商品の出品依頼者のそれぞれの装置に対して、該装置間における該対象商品の価格調整のための仲介の通信を行う価格調整ステップを、更に有する請求項１３記載の電子商取引プログラムを格納した記憶媒体。
【請求項１５】
前記価格調整ステップは、
組み合わせ後の前記対象商品の価格が、組み合わせ前の価格より安くなる範囲内で価格を更新するステップを含む請求項１４記載の電子商取引プログラムを格納した記憶媒体。
【発明の詳細な説明】
【０００１】
【発明の属する技術分野】
本発明は、電子商取引方法及び装置及び電子商取引プログラム及び電子商取引プログラムを格納した記憶媒体に係り、特に、ネットワーク上で商品や役務の授受についての電子商取引を行うための電子商取引方法及び装置及び電子商取引プログラム及び電子商取引プログラムを格納した記憶媒体に関する。
【０００２】
【従来の技術】
従来から、ネットワーク上で電子商取引を行う技術が知られている（例えば、非特許文献１参照）。電子商取引は、言うまでもなく、ネットワークを介して出品依頼をする売り手側の商品を、ネットワークを介して買い手候補側に提示する技術であり、近年のネットワークの発達と共に普及してきた技術である。これは、ネットワーク上のサーバが所定の段階まで参加者間の取引の仲介を行うことにより実現されている。
【０００３】
従来の電子商取引では、単品で買い手候補側に商品を提示するものが殆どである。近年、買い手候補側に複数の商品の組み合わせの中からいずれかを選択させることを可能とし、組み合わせた商品等の電子商取引を行う技術も開示されてきたが、商品の組み合わせは任意である（例えば、特許文献１参照）。従って上記のサーバが提示する商品群の中から任意に組み合わせたものを買い手候補側が指定するようになっている。
【０００４】
【非特許文献１】
インターネット（ｈｔｔｐ：／／ｗｗｗ．ｂｉｄｄｅｒｓ．ｃｏ．ｊｐ／ｔｕｔｏｒｉａｌ／ｒａｋｕ０１．ｈｔｍｌ）
【０００５】
【特許文献１】
特開２００１−３１２６２２号公報
【０００６】
【発明が解決しようとする課題】
しかしながら、このような従来の商取引技術では、たとえ商品等の組み合わせが可能であったとしても、組み合わせが任意に選べるものであり、商品等の組み合わせについて売り手側が推奨するものを一般の買い手候補側は受けることができないという問題がある。
【０００７】
本発明は、上記の点に鑑みなされたもので、予め商品の組とするものを決定しておき、決定された商品の組を買い手候補者側に提供することを可能とし、売り手側が推奨するものを一般の買い手候補者側に提供することが可能な電子商取引方法及び装置及び電子商取引プログラム及び電子商取引プログラムを格納した記憶媒体を提供することを目的とする。
【０００８】
【課題を解決するための手段】
図１は、本発明の原理を説明するための図である。
【０００９】
本発明は、  ネットワーク上で電子商取引を行う電子商取引方法において、
電子商取引の対象となる複数の商品の組み合わせを示す対応表を記憶手段に予め記憶しておき（ステップ１）、
電子商取引への出品依頼をネットワーク上の装置から該ネットワークを介して受信し、出品依頼の商品が、対応表に含まれるかを判断し、含まれる場合に、出品依頼した前記装置に対して、前記対応表に含まれる商品の組み合わせで電子商取引の対象とするか否かの問い合わせを行い（ステップ２）、
出品依頼した装置から出品依頼の商品を組み合わせで電子商取引を行う回答を受信した場合には、該組み合わせの商品情報をネットワークを介して送信し（ステップ４）、そうでない場合には、該出品依頼の商品単品で取引する（ステップ５）。
【００１０】
また、本発明は、依頼者自身が複数の商品を組み合わせた、組み合わせの対象商品の出品依頼者のそれぞれの装置に対して、該装置間における該対象商品の価格調整のための仲介の通信を行う。
【００１１】
また、本発明は、組み合わせ後の前記対象商品の価格が、組み合わせ前の価格より安くなる範囲内で価格を更新する。
【００１２】
また、本発明は、個々の商品の組み合わせ、または、個々の商品のカテゴリの組み合わせを、出品依頼した装置に対して送信する。
【００１３】
図２は、本発明の原理構成図である。
【００１４】
本発明は、ネットワーク上で電子商取引を行う電子商取引装置であって、
電子商取引の対象となる複数の商品の組み合わせを示す対応表を記憶する記憶手段１０３と、
ネットワーク上の複数の装置との間で該ネットワークを介して通信する通信手段１０１と、
電子商取引への出品依頼を前記ネットワーク上の装置から通信手段１０１を介して受信すると、該出品依頼の商品が、記憶手段１０３の対応表に含まれるかを判断し、含まれる場合に、出品依頼した装置に対して、対応表に含まれる商品の組み合わせで電子商取引の対象とするか否かの問い合わせを通信手段１０１を介して行い、該出品依頼した装置から出品依頼の商品を組み合わせで電子商取引を行う回答を受信した場合には、該組み合わせの商品情報を通信手段１０１を介して送信する取引制御手段１０２と、を有する。
【００１５】
また、本発明の取引制御手段１０２は、依頼者自身が複数の商品を組み合わせた、組み合わせの対象商品の出品依頼者のそれぞれの装置に対して、該装置間における該対象商品の価格調整のための仲介の通信を行う価格調整手段を含む。
【００１６】
また、本発明の価格調整手段は、組み合わせ後の前記対象商品の価格が、組み合わせ前の価格より安くなる範囲内で価格を更新する手段を含む。
【００１７】
また、本発明の取引制御手段１０２は、個々の商品の組み合わせ、または、個々の商品のカテゴリの組み合わせを、出品依頼した装置に対して送信する手段を含む。
【００１８】
本発明は、ネットワーク上で電子商取引を実行させるための電子商取引プログラムであって、
電子商取引の対象となる複数の商品の組み合わせを示す対応表を記憶手段に予め記憶させる対応表格納ステップと、
電子商取引への出品依頼をネットワーク上の装置から該ネットワークを介して受信する依頼受信ステップと、
出品依頼の商品が、対応表に含まれるかを判断する判断ステップと、
含まれる場合に、出品依頼した装置に対して、対応表に含まれる商品の組み合わせで電子商取引の対象とするか否かの問い合わせを行う問い合わせステップと、
出品依頼した装置から出品依頼の商品を提示した組み合わせで電子商取引を行う回答を受信した場合には、該組み合わせの商品情報を前記ネットワークを介して送信する商品情報提供ステップと、からなり、コンピュータに実行させる。
【００１９】
また、本発明の電子商取引プログラムは、依頼者自身が複数の商品を組み合わせた、組み合わせの対象商品の出品依頼者のそれぞれの装置に対して、該装置間における該対象商品の価格調整のための仲介の通信を行う価格調整ステップを、更に有する。
【００２０】
また、本発明の価格調整ステップは、組み合わせ後の前記対象商品の価格が、組み合わせ前の価格より安くなる範囲内で価格を更新するステップを含む。
【００２１】
また、本発明の問い合わせステップは、個々の商品の組み合わせ、または、個々の商品のカテゴリの組み合わせを、出品依頼した装置に対して送信する。
【００２２】
また、本発明のネットワーク上で電子商取引を実行させるための電子商取引プログラムを格納した記憶媒体であって、
電子商取引の対象となる複数の商品の組み合わせを示す対応表を記憶手段に予め記憶させる対応表格納ステップと、
電子商取引への出品依頼をネットワーク上の装置から該ネットワークを介して受信する依頼受信ステップと、
出品依頼の商品が、対応表に含まれるかを判断する判断ステップと、
含まれる場合に、出品依頼した前記装置に対して、対応表に含まれる個々の商品の組み合わせ、または、個々の商品のカテゴリの組み合わせを含む情報を送信することにより、電子商取引の対象とするか否かの問い合わせを行う問い合わせステップと、
出品依頼した装置から、出品依頼の商品を前記組み合わせで電子商取引を行う回答を受信した場合には、該組み合わせの商品情報を前記ネットワークを介して送信する商品情報提供ステップと、
からなるプログラムを格納する。
【００２３】
また、本発明の電子商取引プログラムを格納した記憶媒体は、依頼者自身が複数の商品を組み合わせた、組み合わせの対象商品の出品依頼者のそれぞれの装置に対して、該装置間における該対象商品の価格調整のための仲介の通信を行う価格調整ステップを、更に有する。
【００２４】
また、本発明の電子商取引プログラムを格納した記憶媒体の価格調整ステップは、組み合わせ後の対象商品の価格が、組み合わせ前の価格より安くなる範囲内で価格を更新するステップを含む。
【００２５】
上記のように、本発明では、商品の組み合わせについて予め決められた対応表を用いて出品依頼のあった商品を組み合わせて買い手候補者側に提示することを可能とする。
【００２６】
また、予め出品依頼者が商品を組み合わせて出品依頼をしてきた場合に、組み合わせの対象商品の出品依頼者が組み合わせの対象商品の価格の調整を行うための仲介の通信を行うことにより、価格の問い合わせを行うため、価格設定を行う機会を売り手側に提供することが可能となる。
【００２７】
また、組み合わせ後の価格が組み合わせ前の合計価格より安くなる範囲内で価格を更新するため、セット化した商品の価格を割り引くことを可能とし、買い手側に利益を付与することが可能となる。
【００２８】
さらに、個々の商品の組み合わせまたは、個々の商品のカテゴリの組み合わせを送信することにより、商品の組み合わせについて予め決められた対応表を用いて出品依頼のあった商品を組み合わせて買い手側候補者側に提示することを可能とする。
【００２９】
【発明の実施の形態】
以下、図面と共に本発明の実施の形態を説明する。
【００３０】
［第１の実施の形態］
図３は、本発明の第１の実施の形態における電子商取引の流れを説明するための図であり、電子商取引装置は、同図の左側の２台の装置から２つの商品（商品Ａ及び商品Ｂ）の出品依頼を受信し、商品Ａ、及び商品Ｂを組み合わせて買い手側候補の装置（同図右側）に提示するものである。
【００３１】
図４は、本発明の第１の実施の形態における電子商取引システムの構成を示す。
【００３２】
同図において、電子商取引装置１００は、ネットワーク１１０上の装置１２０ａ，１２０ｂ，１２０ｃ，…、１２０ｎと通信するための通信部１０１、電子商取引の対象となる複数の商品の組み合わせを対応表の形で予め記憶しておく記憶部１０３、出品依頼された商品を組み合わせて電子商取引の対象とするか否かの問い合わせを行い、問い合わせで商取引の対象とする旨の回答を得たときに、出品依頼された商品を組み合わせて電子商取引のために通信部１０１経由でネットワーク１１０に接続されている買い手候補側の装置に提示する取引制御部１０２を含むように構成される。なお、当該電子商取引装置１００は、図３のオークションサーバに該当する。
【００３３】
ここで、通信部１０１は、ネットワーク１１０との通信は有線で行っても、無線で行ってもよい。
【００３４】
記憶部１０３は、予め組み合わせることができる商品を対応付けた表を記憶しており、商品毎に組み合わせ表を記憶するのでも、商品のカテゴリ毎に組み合わせた表を記憶するのでもよい。
【００３５】
具体的には、商品「椅子」に対して商品「テーブル」等のように、商品毎の対応表を記憶し、商品のカテゴリ「台所用品」に対してカテゴリ「家具」等のように商品のカテゴリ毎の対応表を記憶するようにしてもよい。また、一般に組物といわれるものをくみあわせても、特に、デザイン性や機能の観点から組み合わせるものでも、商品の仕様の調和の観点から組み合わせたものでも、使用の状況に応じてあったらいいなというものを組み合わせるのでも、その他の方法で組み合わせてもよい。
【００３６】
取引制御部１０２は、電子商取引を実現するための種々の処理や制御を行う。制御としては、通信部１０１が行う通信に関わる制御や記憶部１０３への書き込みまたは、読み出しの際の制御が含まれるようにしてもよい。
【００３７】
以下に、取引制御部１０２が行う処理及び制御を図５を用いて説明する。
【００３８】
図５は、本発明の第１の実施の形態における電子商取引システムの動作のシーケンスチャートである。同図に示すシーケンスチャートは、電子商取引装置１００が動作を開始した直後の状態を示し、事前処理において、参加者の登録等、電子商取引を開始するのに必要な処理がなされているものとする。
【００３９】
電子商取引装置１００は、まず、売り手αの装置１２０ａから送信された出品依頼を受信し（ステップ３０１）、次に、売り手βの装置１２０ｂから送信された出品依頼を受信する（ステップ３０２）。出品依頼を受信したら、取引制御部１０２は、これらの出品依頼に係る商品を組み合わせてセットにできるか否かの判断を行う（ステップ３１１）。以下では、このように複数の商品を組み合わせてセットにすることを「セット化」という。
【００４０】
ステップ３１１でセット化できないと判断した場合は、単品で通常方法の電子商取引を行うものとする。単品で行う電子商取引の技術は公知であり、その説明は省略する。
【００４１】
ステップ３１１でセット化できると判断した場合、取引制御部１０２は、売り手αの装置１２０ａに、売り手βの装置１２０ｂから出品依頼のあった商品Ｂとセット化して売り手αの商品Ａについて、電子商取引を行うか否かの問い合わせを行う（ステップ３１２）。
【００４２】
ステップ３１２の問い合わせに対し、売り手αの装置１２０ａから「否定」の回答を受信した場合は、取引制御部１０２は、単品で通常方法の電子商取引を行うものとする。
【００４３】
一方、ステップ３１２の問い合わせに対し、売り手αの装置１２０ａから送信された「肯定」の回答を受信した（ステップ３１３）場合、取引制御部１０２は、売り手βの装置１２０ｂに、売り手αの装置１２０ａから出品依頼のあった商品Ａとセット化して売り手βの商品Ｂについて電子商取引を行うか否かの問い合わせを行う（ステップ３１４）。ここで、売り手αの装置ａからセット化を「肯定」する回答が送信されたことを付加して、上記の問い合わせを売り手βの装置１２０ｂに行うようにしてもよい。
【００４４】
ステップ３１４の問い合わせに対し、売り手βの装置１２０ｂから送信された「否定」の回答を受信した場合、取引制御部１０２は、単品で通常方法の電子商取引を行うものとする。
【００４５】
ステップ３１４の問い合わせに対し、売り手βの装置１２０ｂから送信された「肯定」の回答を受信した（ステップ３１５）場合、取引制御部１０２は、買い手候補の装置１２０ｃからのコンテンツの閲覧要求を待ち、閲覧要求を受信する（ステップ３５１）。
【００４６】
コンテンツの閲覧要求を受信したら、取引制御部１０２は、取引制御部１０２は、閲覧要求のあったコンテンツを買い手候補の装置１２０ｃに送信し、買い手候補の装置１２０ｃからの応答を待つ（ステップ３５２）。ここで、上記のコンテンツには、電子商取引に係る商品を特定する情報や写真等が含まれているのでもよい。また、コンテンツには、商品「椅子」に対して商品「テーブル」等のように、商品毎の対応表や、商品のカテゴリ「台所用品」に対してカテゴリ「家具」等のように商品のカテゴリ毎の対応表が含まれるのでもよい。また、商品の仕様や、使用年数等の情報を含んだものでもよい。
【００４７】
セット化された商品の購入の意思を示す商品購入要求を、買い手候補の装置１２０ｃから受信した（ステップ３５３）場合、電子商取引は成立し、当事者間の取り決めによりセット化した商品Ａ，Ｂの引渡しが行われる（図５では、「事後処理」と記載）。なお、事後処理としては、既存の電子商取引の処理を用いるものとする。
【００４８】
なお、上記では、セット化の問い合わせを、売り手αの装置１２０ａと売り手βの装置１２０ｂに異なる時刻に行う場合について説明したが、同時に問い合わせを送信するのでもよい。
【００４９】
以上説明したように、本発明の第１の実施の形態に係る電子商取引装置１００は、商品の組み合わせについて予め決められた対応表を用いて出品依頼のあった商品を組み合わせて買い手候補側に提示することを可能にしたため、売り手側が推奨する商品の組み合わせを一般の買い手候補側に提供できる。
【００５０】
なお、本発明の第１の実施の形態では、電子商取引装置１００を用いて上記のステップ３０１〜ステップ３５３の各ステップでの処理を行う電子商取引方法について説明したが、これらのステップ３０１〜ステップ３５３を含む電子商取引動作を実行させるための電子商取引プログラムがインストールされた所定のコンピュータを用いて実施するようにしてもよい。
【００５１】
［第２の実施の形態］
図６は、本発明の第２の実施の形態における電子商取引システムの動作のシーケンスチャートである。
【００５２】
ここでは、本発明の第２の実施の形態に係る電子商取引方法は、前述の第１の実施の形態に係る電子商取引装置１００の構成と同様の構成の装置を用いて実施することが可能である。そのため、本実施の形態に係る電子商取引装置についての説明は省略する。
【００５３】
但し、電子商取引装置１００の処理制御部１０２の動作は、以下に説明するものであり、図６に示す処理において、ステップ４２１〜ステップ４２４を除く他のステップでの処理は、前述の第１の実施の形態において説明したものと同様であり、その説明を省略する。ここでは、ステップ３１５で売り手βの装置１２０ｂからセット化を「肯定」する回答が送信されたものとして説明する。
【００５４】
ステップ３１５でセット化を「肯定」する回答を受信した場合、取引制御部１０２は、売り手αの装置１２０ａにセット化した商品の価格を問い合わせ、回答を待つ（ステップ４２１）。但し、価格の問い合わせは、売り手αの出品依頼にかかる商品Ａについてのものでもよい。
【００５５】
次に、取引制御部１０２は、ステップ４２１の問い合わせに対して、売り手αの装置１２０ａから返信された回答を受信し（ステップ４２２）、同様の問い合わせを売り手βの装置１２０ｂに対しても行い（ステップ４２３）、売り手βの装置１２０ｂから返信された回答を受信する。
【００５６】
ここで、セット化した商品の価格の設定は、単品のときの価格をそれぞれの商品について合算したものでもよいが、単品のときの価格より割り引いた価格を設定してもよい。
【００５７】
また、価格の統一に関しては、各自が自己の商品の価格を設定する場合、各商品の価格が単品のときの価格を超えない場合に、統一が図られたと判断してもよい。従って、単品の価格そのものを各自の商品の価格とするのでもよいものとする。
【００５８】
一方、売り手の双方がセット化した商品の価格を決定する場合の価格の統一に関しては、単品についての価格の合算値について割引率を決定し、割引率が一致するか否かで統一の有無を判断するようにしてもよい。
【００５９】
なお、価格統一の判断については、上記の方法に限定されるものではなく、その他の方法で行ってもよい。
【００６０】
セット化した商品の価格について、売り手αの装置１２０ａからの回答で示された価格と売り手βの装置１２０ｂからの回答で示された価格とで一致が見られない場合は、図７に示すように、価格調整のステップ（ステップ５３０）を経て統一が図られる。
【００６１】
価格調整ステップでは、双方の装置に価格の許容範囲を問い合わせ（ステップ４２１，４２３）、この問い合わせに対して双方の売り手α、βの条件を満たすことができる場合には、調整がとれたものとし、当該商品の価格を更新する。その他の場合は調整がとれないとする。かかる調整を所定回数行っても調整が取れない場合、セット化した商品の出品はなかったものとし、単品での電子商取引の処理を適用するものとする（ステップ５３０）。
【００６２】
なお、価格の統一方法については、上記の方法に限定されるものではなく、その他の方法で行ってもよい。
【００６３】
以上の価格調整ステップで価格の統一が得られた場合、処理はステップ３５１に進み、本発明の第１の実施の形態において説明したステップ３５１以降の各ステップでの処理がなされる。
【００６４】
なお、本発明の第２の実施の形態では、電子商取引装置１００を用いて上記のステップ３０１〜３５３及び、ステップ４２１〜ステップ４２４の各ステップでの処理を行う電子商取引方法について説明したが、これらのステップ３０１〜ステップ３５３及びステップ４２１〜ステップ４２４を含む電子商取引動作を実行させるための電子商取引プログラムがインストールされた所定のコンピュータを用いて実施するようにしてもよい。
【００６５】
以上説明したように、本発明の第２の実施の形態は、第１の実施の形態の効果に加え、売り手側に価格の問い合わせを行うため、価格設定を行う機会を売り手側に提供することができる。
【００６６】
また、セット化した商品の価格を割り引くことを可能にしたため、買い手側は、利益を得ることができる。
【００６７】
［第３の実施の形態］
図８は、本発明の第３の実施の形態における電子商取引システムの動作のシーケンスチャートである。
【００６８】
本実施の形態では、前述の第１の実施の形態に係る電子商取引装置１００の構成と同様の構成の装置を用いて行うことができる。そのため、本実施の形態では、電子商取引装置１００の説明は省略する。
【００６９】
但し、電子商取引装置１００の処理制御部１０２の動作は、以下に説明するものである。
【００７０】
本実施の形態では、売り手αの装置Ａ及び売り手βの装置Ｂから出品依頼に加え、セット化の請求も電子商取引装置１００に送信されてくるものとする。
【００７１】
図８に示す処理において、取引制御部１０２は、まず、売り手αの装置Ａから出品依頼とセット化の請求を受信する（ステップ５０３）。同様に、売り手βの装置Ｂから出品依頼とセット化の請求を受信する（ステップ５０３）。
【００７２】
出品依頼とセット化の請求を受信したら取引制御部１０２は、これらの出品依頼に係る商品Ａ、Ｂをセット化できるか否かの判断を行う（ステップ３１１）。
【００７３】
ステップ３１１でセット化できないと判断した場合は、単品で通常方法の電子商取引を行うものとする。その際、セット化できないことを売り手側に送信するようにしてもよい。
【００７４】
ステップ３１１でセット化できると判断した場合、取引制御部１０２は、買い手候補の装置１２０ｃからのコンテンツの閲覧要求を待ち、閲覧要求を受信する（ステップ３５１）。
【００７５】
コンテンツの閲覧要求を受信したら、取引制御部１０２は、閲覧要求のあったコンテンツを買い手候補の装置１２０ｃに送信し、買い手候補の装置１２０ｃからの応答を待つ（ステップ３５２）。
【００７６】
セット化された商品の購入の意思を示す商品購入要求を買い手候補の装置１２０ｃから受信した（ステップ３５３）場合、電子商取引は成立し、当事者間の取り決めによりセット化した商品Ａ，Ｂの引渡しが行われる。
【００７７】
なお、以上では、セット化の問い合わせを売り手αの装置１２０Ａと売り手βの装置１２０Ｂに異なる時刻に行う場合について説明したが、同時に問い合わせを送信するようにしてもよい。
【００７８】
なお、本実施の形態では、電子商取引装置１００を用いて上記のステップ３１１、ステップ３５１からステップ３５３及びステップ５０３、ステップ５０４の各ステップでの処理を行う電子商取引方法について説明したが、これらのステップ３１１、ステップ３５１からステップ３５３及びステップ５０３、ステップ５０４を含む電子商取引動作を実行させるための電子商取引プログラムがインストールされた所定のコンピュータを用いて実施するようにしてもよい。
【００７９】
以上説明したように、本実施の形態では、商品の組み合わせについて予め決められた対応表を用いて出品依頼のあった商品を組み合わせて買い手候補側に提示することを可能としたため、売り手側が推奨する商品の組み合わせを一般の買い手候補側に提供できる。
【００８０】
また、出品依頼にセット化の請求が付加されて売り手側から送信されてくるようにすることで、処理の負荷を軽減することができる。
【００８１】
なお、本発明の第１、第２及び第３の実施の形態における、図５、図６、図７に示す電子商取引装置の動作をプログラムとして構築し、電子商取引装置として利用されるコンピュータにインストールし、ＣＰＵ等の制御手段により実行する、または、ネットワークを介して流通させることが可能である。
【００８２】
また、構築されたプログラムを電子商取引装置として利用されるコンピュータに接続されるハードディスク装置や、フレキシブルディスク、ＣＤ−ＲＯＭ等の可搬記憶媒体に格納しておき、商取引の際にコンピュータにインストールして実行させることも可能である。
【００８３】
なお、本発明は、上記の実施の形態に限定されることなく、特許請求の範囲内において種々、変更・応用が可能である。
【００８４】
【発明の効果】
上述のように、本発明によれば、予め商品の組とするものを決定しておき、決定された商品の組を買い手候補者側に提供することを可能とすることにより、売り手側が推奨するものを一般の買い手候補者側に提供できる。
【図面の簡単な説明】
【図１】本発明の原理を説明するための図である。
【図２】本発明の原理構成図である。
【図３】本発明の第１の実施の形態における電子商取引の流れを説明するため図である。
【図４】本発明の第１の実施の形態における電子商取引システムの構成図である。
【図５】本発明の第１の実施の形態における電子商取引システムの動作のシーケンスチャートである。
【図６】本発明の第２の実施の形態における電子商取引システムの動作のシーケンスチャートである。
【図７】本発明の第２の実施の形態における電子商取引システムの価格調整処理を含む動作のシーケンスチャートである。
【図８】本発明の第３の実施の形態における電子商取引システムの動作のシーケンスチャートである。
【符号の説明】
１００  電子商取引装置
１０１  通信手段、通信部
１０２  取引制御手段、取引制御部
１０３  記憶手段、記憶部
１１０  ネットワーク
１２０ａ  売り手α側装置
１２０ｂ  売り手β側装置
１２０ｃ  買い手側装置
【図１】
2004341815.tif 000003
【図２】
2004341815.tif 000004
【図３】
2004341815.tif 000005
【図４】
2004341815.tif 000006
【図５】
2004341815.tif 000007
【図６】
2004341815.tif 000008
【図７】
2004341815.tif 000009
【図８】
2004341815.tif 000010